(57)【要約】【課題】被締結部材自体の硬度のばらつきに関係なく、安定した締結力が確保できるピール型ブラインドリベットを提供すること。【解決手段】リベット本体２は、フランジ状頭部４側に胴部３の挿通孔８の孔径Ａより小径Ｂの小径孔部９を設けて、挿通孔８の内底に係止肩部１０が形成され、一方、マンドレル５の軸部６は、マンドレル頭部７に連続し挿通孔８の孔径Ａより若干小径の太軸部１１と、該太軸部１１に連続し小径孔部９に挿通する細軸部１２とを有している。胴部３に挿通したマンドレル５の軸部６を引っ張って太軸部１１の端面１１ａが係止肩部１０に当接するまで引き抜くことにより、切り刃部１６で胴部３の他端開口部１８を切り裂いて形成される複数の脚片１９の切り裂き長さがほぼ一定し、花弁状に拡開する複数の脚片１９の拡開径Ｃがほぼ一定に確保される。【選択図】図１
2008128313.tif 000002
【特許請求の範囲】
【請求項１】
円筒状胴部の一端にフランジ状頭部を有するリベット本体と、前記胴部に挿通して組み付けられる軸部の一端に拡大した頭部を有するマンドレルとから成り、前記マンドレル頭部の下面部分に放射状に延びる複数の切り刃部が設けられており、前記胴部に挿通した前記軸部を引っ張ることにより前記切り刃部で前記胴部の他端開口部を切り裂いて花弁状に拡開する複数の脚片と前記フランジ状頭部との間で被締結部材を締結するピール型ブラインドリベットであって、
前記リベット本体の前記フランジ状頭部側に、前記胴部の挿通孔の孔径より小径の小径孔部を設けて、前記挿通孔の内底に係止肩部が形成され、
一方、前記マンドレルの前記軸部は、前記マンドレル頭部に連続し前記挿通孔の孔径より若干小径の太軸部と、該太軸部に連続し前記小径孔部に挿通する細軸部とを有し、かつ、前記細軸部に破断部分が設けられており、
前記胴部に挿通した前記マンドレルの前記軸部を引っ張って前記太軸部の端面が前記係止肩部に当接するまで引き抜くことにより、前記切り刃部で前記胴部の他端開口部を切り裂いて形成される前記複数の脚片の切り裂き長さがほぼ一定し、花弁状に拡開する前記複数の前記脚片の拡開径がほぼ一定に確保されることを特徴とするピール型ブラインドリベット。
【請求項２】
前記リベット本体の前記胴部の長さは一定とし、前記マンドレルの前記太軸部の長さを加減することにより、前記脚片の切り裂き長さが選択変更可能になっていることを特徴とする請求項１記載のピール型ブラインドリベット。
【請求項３】
前記マンドレル頭部の直下に前記胴部の前記挿通孔より若干大径の圧入太軸部が設けられ、前記胴部に挿通した前記マンドレルの前記圧入太軸部が前記胴部の前記他端開口部に圧入して係止保持されることを特徴とする請求項１又は２記載のピール型ブラインドリベット。
【発明の詳細な説明】
【技術分野】
【０００１】
本発明は、ブラインドリベットに関し、詳しくは比較的軟質の部材、例えばサイディングと呼ばれる窯業系の耐火壁材を支持フレームに固着するのに適したピ−ル型ブラインドリベットに関するものである。
【背景技術】
【０００２】
ピ−ル型ブラインドリベットは、円筒状胴部の一端にフランジ状頭部を有するリベット本体と、前記胴部に挿通して組み付けられる軸部の一端に拡大した頭部を有するマンドレルとから成り、前記マンドレル頭部の下面部分に放射状に延びる複数の切り刃部が設けられており、前記胴部に挿通した前記軸部を引っ張ることにより前記切り刃部で前記胴部の他端開口部を切り裂いて花弁状に拡開する複数の脚片と前記フランジ状頭部との間で被締結部材を締結するようになっている（例えば、特許文献１、２及び３参照）。
【０００３】
このようなピ−ル型ブラインドリベットを使用して、前述した窯業系の耐火壁材を支持フレ−ムに固着する場合、次のような問題点がある。
【０００４】
締結具であるブラインドリベットが耐火壁材の表面に露出するのを避けるため、耐火壁材の裏面側に設けた有底の盲穴にピール型ブラインドリベットを挿入し、マンドレルを引っ張ることにより前記切り刃部で前記胴部の他端開口部を切り裂いて形成される前記複数の脚片を耐火壁材内で花弁状に拡開させると、耐火壁材自体の硬度にばらつきがあるため、マンドレルの引き抜き力を一定にしても、前記脚片の引き裂き長さがばらつき、花弁状に拡開した前記複数の脚片の拡開径にばらつきが生じて締結力が安定せず、信頼性が低い。
【特許文献１】特開平２−２６３０５号公報
【特許文献２】特開平１０−２７４２２０号公報
【特許文献３】特開２０００−３４６０２３号公報
【発明の開示】
【発明が解決しようとする課題】
【０００５】
本発明は、上記従来の問題点を解決するものであり、被締結部材自体の硬度のばらつきに関係なく、マンドレル頭部の下面部分に設けた複数の切り刃部でリベット本体の胴部の他端開口部を切り裂いて形成され、花弁状に拡開する複数の脚片の切り裂き長が一定し、かつ前記複数の脚片の拡開径が一定し、安定した締結力が確保できるピール型ブラインドリベットを提供することを目的とする。
【課題を解決するための手段】
【０００６】
上記目的を達成するために、本発明は、円筒状胴部の一端にフランジ状頭部を有するリベット本体と、前記胴部に挿通して組み付けられる軸部の一端に拡大した頭部を有するマンドレルとから成り、前記マンドレル頭部の下面部分に放射状に延びる複数の切り刃部が設けられており、前記胴部に挿通した前記軸部を引っ張ることにより前記切り刃部で前記胴部の他端開口部を切り裂いて花弁状に拡開する複数の脚片と前記フランジ状頭部との間で被締結部材を締結するピール型ブラインドリベットであって、前記リベット本体の前記フランジ状頭部側に、前記胴部の挿通孔の孔径より小径の小径孔部を設けて、前記挿通孔の内底に係止肩部が形成され、一方、前記マンドレルの前記軸部は、前記マンドレル頭部に連続し前記挿通孔の孔径より若干小径の太軸部と、該太軸部に連続し前記小径孔部に挿通する細軸部とを有し、かつ、前記細軸部に破断部分が設けられており、前記胴部に挿通した前記マンドレルの前記軸部を引っ張って前記太軸部の端面が前記係止肩部に当接するまで引き抜くことにより、前記切り刃部で前記胴部の他端開口部を切り裂いて形成される前記複数の脚片の切り裂き長さがほぼ一定し、花弁状に拡開する前記複数の前記脚片の拡開径がほぼ一定に確保されることを特徴とする。
【０００７】
上記構成において、前記リベット本体の前記脚部の長さは一定とし、前記マンドレルの前記太軸部の長さを加減することにより、前記脚片の切り裂き長さを選択変更することが可能となり、前記複数の脚片の拡開経を変えて所定の締結力を容易に確保することができる。
【０００８】
さらに、前記マンドレル頭部の直下にリベット本体の前記胴部の前記挿入孔により若干大径の圧入太軸部を設け、該圧入太軸部が前記胴部の前記他端開口部に圧入して係止保持される構造とすることにより、前記胴部に挿通して組み付けたマンドレルとリベット本体を一体化させることができる。
【発明の効果】
【０００９】
本発明のピール型ブラインドリベットは、リベット本体のフランジ状頭部側に、胴部の挿通孔の孔径より小径の小径孔部を設けて、前記挿通孔の内底に係止肩部が形成され、一方、マンドレルの軸部は、マンドレル頭部に連続し前記胴部の挿通孔の孔径より若干小径の太軸部と、該太軸部に連続し前記小径孔部に挿通する細軸部とを有し、かつ、前記細軸部に破断部分が設けられており、前記胴部に挿通した前記マンドレルの軸部を引っ張って前記太軸部の端面が前記係止肩部に当接するまで引き抜くことにより、前記切り刃部で前記胴部の他端開口部を切り裂いて形成される前記複数の脚片の切り裂き長さがほぼ一定し、花弁状に拡開する前記複数の前記脚片の拡開径がほぼ一定に確保されるから、被締結部材の硬度のばらつきに関係なく、安定した締結力が得られる。
【００１０】
また、請求項２に係る発明によれば、前記複数の脚片の切り裂き長さを調整して、所定の締結力が容易に得られる。
【００１１】
したがって、本発明のブラインドリベットは、硬度にばらつきのある窯業系の耐火壁材をその裏側に設けた有底の盲穴に装着して、支持フレームに固着するのに好適であり、所定の締結力を確保して、締結力の信頼性を向上させる利点がある。
【発明を実施するための最良の形態】
【００１２】
以下、本発明の実施の形態を図面に基づいて説明する。
【００１３】
図１は、本発明に係るピール型ブラインドリベット１を示している。該ブラインドリベット１は、円筒状胴部３の一端にフランジ状頭部４を有するリベット本体２と、胴部３に他端開口部１８から挿通して組み付けられる軸部６の一端に拡大した頭部７を有するマンドレル５とで構成されている。リベット本体２とマンドレル５は高炭素鋼等の金属材料を圧造成形して製造されるが、特に耐食性が要求される場合はステンレス鋼で製造することが好ましい。
【００１４】
リベット本体２は、図２によく示されているように、フランジ状頭部４側に、胴部３の挿通孔８の孔径Ａより小径の孔径Ｂを有する小径孔部９を設けて、挿通孔８の内底に係止肩部１０が形成されている。
【００１５】
マンドレル５は、図３に良く示されているように、軸部６がマンドレル頭部７に連続し、リベット本体２の挿通孔８の孔径Ａより若干小径の直径Ｄを有する太軸部１１と、該太軸部１１に連続し小径孔部９に挿通する直径Ｄより小径の直径Ｅを有する細軸部１２とを有し、太軸部１１と細軸部１２の境界域に引きちぎりによる破断部分１３が設けられている。
【００１６】
太軸部１１の長さＭは、胴部３の長さは（すなわち挿通孔８の深さ）Ｌより短く設定されていて、後述するように、胴部３の長さＬに対して太軸部１１の長さＭを変えることにより、胴部３の他端開口部１８を切り裂いて形成される複数の脚片の切り裂き長さが変更可能となる。
【００１７】
マンドレル頭部７は、リベット本体２の胴部３の外径より若干大径で平坦面の上端面１４を有し、その下面部分１５が軸部６の外周面から上端面１４の周縁に向って直径が漸次増大するラッパ形状に形成されている。そして、図３に示すように、該ラッパ状下面部分１５に放射状に延びる４つの切り刃部１６が断面Ｖ字形に突出して設けられている。さらに、下面部分１５と軸部６の太軸部１１との間に胴部３の挿通孔８の孔径Ａより若干大径の圧入太軸部１７が設けられていて、マンドレル５の軸部６を胴部３の挿通孔８に他端開口部１８から挿通してリベット本体２に組み付けたとき、圧入太軸部１７が胴部３の他端開口部１８に圧入して係止保持され、リベット本体２とマンドレル５が一体化される。
【００１８】
図５は、上記構成を有するピール型ブラインドリベット１を使用して、通称サイディングと呼ばれている窯業系の耐火壁材２１を支持フレーム２２に固着した使用例を示している。
【００１９】
耐火壁材２１には予め裏面側から有底の取付穴（盲穴）２３があけられている。リベット本体２に組み付けたマンドレル５の頭部１７側から支持フレーム２２の取付孔２４を通じてリベット本体２の胴部３を取付穴（盲穴）２３に挿入し、フランジ状頭部４を支持フレーム２２に押圧しながら、マンドレル５の軸部６（１１，１２）を引っ張ると、切り刃部１６で胴部３の他端開口部１８を切り裂いて複数（４枚）の脚片１９が形成されると共に、該脚片１９はマンドレル頭部７のラッパ状下面部分１５に沿って花弁状に拡開される。そして、太軸部１１の端面１１ａが挿通孔８の内底の係止肩部１０に当接するまで軸部６を引き抜くと、切り裂かれた脚片１９が所定長さに形成されると共に、花弁状に拡開した複数の脚片１９が一定の拡開径Ｃとなり、このように一定の拡開径Ｃに拡開した複数の脚片１９とフランジ状頭部４との間で耐火壁材２１と支持フレーム２２を締結して固着する。したがって、耐火壁材２１の硬度のばらつきに関係なく安定した所定の締結力が確保される。一方、軸６部の引き抜きによって細軸部１２が破断部１３で引きちぎられて分離し、マンドレル頭部７と太軸部１１がリベット本体２の胴部３に圧入した状態で残る。
【００２０】
上記構成において、リベット本体２の胴部３の長さＬは一定にし、マンドレル５の太軸部１１の長さＭを変えることで、脚片１９の切り裂き長さを調整して所定の締結力が容易に得られる。また、太軸部１１の長さＭを一定にし、リベット本体２の胴部３の長さＬを変えることによって、脚片１９の切り裂き長さを調整することも可能である。
【００２１】
図６は、別の実施の形態を示している。厚みの薄い被締結部材２５に貫通孔２６が設けられていて、該貫通孔２６に支持部材２７の取付孔２８を通じて本発明のピール型ブラインドリベット１を挿通して締結したもので、切り刃部１６で胴部３の他端開口部１８を切り裂いて形成される複数の脚片１９が被締結部材２５の表面で花弁状に拡開し、一定の拡開径Ｃに拡開した複数の脚片１９とフランジ状頭部４との間で被締結部材２５と支持部材２７を締結して固着される。
【００２２】
上記した実施の形態においては、マンドレル頭部７の下面部分１５をラッパ形状としたが、上拡がりの円錐台形状としてもよい。
【図面の簡単な説明】
【００２３】
【図１】本発明に係るピール型ブラインドリベットの一部縦断正面図である。
【図２】同上リベット本体の縦断正面図である。
【図３】同上マンドレルの正面図である。
【図４】図３の４−４線に沿う矢視断面図である。
【図５】同上ピール型ブラインドリベットの使用例を示す縦断正面図である。
【図６】同上ピール型ブラインドリベットの別の使用例を示す縦断正面図である。
【符号の説明】
【００２４】
１  ピール型ブラインドリベット
２  リベット本体
３  胴部
４  フランジ状頭部
５  マンドレル
６  軸部
７  マンドレル頭部
８  挿通孔
９  小径孔部
１０  係止肩部
１１  太軸部
１２  細軸部
１３  破断部分
１４  上端面
１５  下面部分
１６  切り刃部
１７  圧入太軸部
１８  他端開口部
１９  脚片
２１  耐火壁材
２２  支持フレーム
２３  取付穴（盲穴）
２４  取付孔
【図１】
2008128313.tif 000003
【図２】
2008128313.tif 000004
【図３】
2008128313.tif 000005
【図４】
2008128313.tif 000006
【図５】
2008128313.tif 000007
【図６】
2008128313.tif 000008
【手続補正書】
【提出日】平成18年11月20日(2006.11.20)
【手続補正１】
【補正対象書類名】図面
【補正対象項目名】図３
【補正方法】変更
【補正の内容】
【図３】
2008128313.tif 000009